(57)【要約】【課題】ＡＣ電源や乾電池、蓄電池などが不要で、しかも大容量のコンデンサを設ける必要のない電話機アダプタの提供を目的とする。【解決手段】固定電話機のオフフック時に制御を行う制御手段１７と、固定電話回線からの電源をアダプタ用電圧に変換して制御手段に供給する電圧変換手段１３と、固定電話機のオフフック時に固定電話機からの発信か否かを判断して、前記固定電話機からの発信の場合に固定電話機からのダイアル信号を制御手段に出力する選択信号検知手段１５と、制御手段からのダイアル信号を固定電話回線へ出力する信号出力手段１９とを少なくとも備え、固定電話回線と固定電話機に対して直列となる経路に電圧変換手段１３、信号出力手段１９、選択信号検知手段１５をそれぞれ配設した。【選択図】        図１
2006148652.tif 000002
【特許請求の範囲】
【請求項１】
二線式の固定電話機と固定電話回線間に接続される電話機アダプタであって、
前記固定電話機と前記電話機アダプタとを固定電話回線でもって直列に接続し、
前記電話機アダプタは、前記固定電話機がオフフック状態のときだけ局から給電される電流を電源電圧に変換する電圧変換手段を具備し、該電圧変換手段から供給される電力で作動することを特徴とする電話機アダプタ。
【請求項２】
二線式の固定電話機と固定電話回線間に接続される電話機アダプタであって、
前記固定電話機のオフフック時に制御を行う制御手段と、
前記固定電話回線からの電源をアダプタ用電圧に変換して前記制御手段に供給する電圧変換手段と、
前記固定電話機のオフフック時に前記固定電話機からの発信か否かを判断して、前記固定電話機からの発信の場合に前記固定電話機からのダイアル信号を前記制御手段に出力する選択信号検知手段と、
前記制御手段からのダイアル信号を前記固定電話回線へ出力する信号出力手段と、
を少なくとも備え、
前記固定電話回線と前記固定電話機に対して直列となる経路に前記電圧変換手段を配設するとともに、前記固定電話回線と前記固定電話機に対して直列となる経路に前記選択信号検知手段及び前記信号出力手段をそれぞれ配設し、前記固定電話機のオフフックにより前記固定電話回線を介して供給される電源を、前記電圧変換手段、前記選択信号検知手段及び前記信号出力手段の作動用電源としたことを特徴とする電話機アダプタ。
【請求項３】
前記制御手段は、前記選択信号検知手段から出力されたダイアル信号が携帯電話機の呼び出しか否かを判断し、前記携帯電話機の呼び出しの場合に、前記制御手段に予め記憶されているキャリア識別情報を読み出して前記固定電話機からのダイアル信号に付加し、該付加後のダイアル信号を前記信号出力手段に出力し、一方、前記携帯電話機の呼び出しとは異なる場合に前記固定電話機からのダイアル信号をそのまま前記信号出力手段に出力することを特徴とする請求項２に記載の電話機アダプタ。
【発明の詳細な説明】
【技術分野】
【０００１】
本発明は、電話機アダプタに関する。
【背景技術】
【０００２】
従来、固定電話機と固定電話回線間に接続される電話機アダプタとして種々のものがある。一例として、固定電話機から電話をかける際に通話料金の安いキャリア（電話会社）を選択するＬＣＲ装置を挙げることができる。
【０００３】
従来の電話機アダプタにおいては、固定電話機のオンフック時にも常時電話回線を監視しており、その監視のためにもＡＣ電源あるいは乾電池または蓄電池を電話機アダプタの作動電源として用いている。
【０００４】
しかし、ＡＣ電源を用いる電話機アダプタにあっては、ＡＣ電源コンセントが近くにない場合には、電源延長コードが必要となったり、電話機アダプタの設置場所に制限を受けたりする問題がある。一方、乾電池を用いる電話機アダプタにあっては乾電池の定期的な交換が必要であり、また蓄電池を用いる電話機アダプタにあっては蓄電池に寿命があるため蓄電池の交換が必要となることがあり、何れも交換作業が煩わしい問題がる。
【０００５】
なお、電話機アダプタ内に充電用コンデンサ（キャパシタ）を設けて固定電話機のオフフック時に電話局から供給される電力の一部をコンデンサに蓄え、そのコンデンサに蓄えた電力を固定電話機のオンフック時における電話局からの電力非供給時に電話機アダプタの電源として使用することが考えられる。その場合、コンデンサの蓄電は、固定電話機のオフフック状態（通話状態）時に行われ、固定電話機のオンフック状態（固定電話機不使用状態）時には行われないため、固定電話機のオンフック状態（固定電話機不使用状態）が長く続く場合にも電話機アダプタを作動可能にするには、コンデンサの容量を大きくしなければならない。しかし、コンデンサは容量と共にサイズが大きくなるため、電話機アダプタのサイズが大きくなって実用的ではなくなる問題がある。
【０００６】
また、従来の電話機アダプタにはレギュレータとは別に充放電回路も必要となるため、電話機アダプタのコストが嵩む問題もある。
【特許文献１】特開平１１−４１３３５号公報
【特許文献２】特開２００１−２３７９９４号公報
【発明の開示】
【発明が解決しようとする課題】
【０００７】
本発明は、前記の点に鑑みなされたものであって、ＡＣ電源や乾電池、蓄電池などが不要で、しかも大容量のコンデンサを設ける必要のない、いわゆる電池レスの電話機アダプタを提供することを目的とする。
【課題を解決するための手段】
【０００８】
請求項１の発明は、二線式の固定電話機と固定電話回線間に接続される電話機アダプタであって、前記固定電話機と前記電話機アダプタとを前記固定電話回線でもって直列に接続し、前記電話機アダプタは、前記固定電話機がオフフック状態のときだけ局から給電される電流を電源電圧に変換する電圧変換手段を具備し、該電圧変換手段から供給される電力で作動することを特徴とする。
【０００９】
請求項２の発明は、二線式の固定電話機と固定電話回線間に接続される電話機アダプタであって、前記固定電話機のオフフック時に制御を行う制御手段と、前記固定電話回線からの電源をアダプタ用電圧に変換して前記制御手段に供給する電圧変換手段と、前記固定電話機のオフフック時に前記固定電話機からの発信か否かを判断して、前記固定電話機からの発信の場合に前記固定電話機からのダイアル信号を前記制御手段に出力する選択信号検知手段と、前記制御手段からのダイアル信号を前記固定電話回線へ出力する信号出力手段と、を少なくとも備え、前記固定電話回線と前記固定電話機に対して直列となる経路に前記電圧変換手段を配設するとともに、前記固定電話回線と前記固定電話機に対して直列となる経路に前記選択信号検知手段及び前記信号出力手段をそれぞれ配設し、前記固定電話機のオフフックにより前記固定電話回線を介して供給される電源を、前記電圧変換手段、前記選択信号検知手段及び前記信号出力手段の作動用電源としたことを特徴とする。
【００１０】
請求項３の発明は、請求項２において、前記制御手段が、前記選択信号検知手段から出力されたダイアル信号が携帯電話機の呼び出しか否かを判断し、前記携帯電話機の呼び出しの場合に、前記制御手段に予め記憶されているキャリア識別情報を読み出して前記固定電話機からのダイアル信号に付加し、該付加後のダイアル信号を前記信号出力手段に出力し、一方、前記携帯電話機の呼び出しとは異なる場合に前記固定電話機からのダイアル信号をそのまま前記信号出力手段に出力することを特徴とする。
【発明の効果】
【００１１】
請求項１の発明の電話機アダプタによれは、電話局（交換機）−電話機アダプタ−固定電話機−電話局という閉路が形成される。よって、固定電話機がオンフック状態のときは、該閉路が開放状態となるため、該電話機アダプタは、理論上全く電力を消費しない。固定電話機がオフフック状態になると、電話局（交換機）−電話機アダプタ−固定電話機−電話局という閉路が繋がるため、電話機アダプタに給電電流が供給され、電話機アダプタ内の電圧変換手段（レギュレータなど）が、電話機アダプタの電源として動作する。したがって、電話機アダプタは、外部からのＡＣ電源や内蔵の電池などが不要となる。
【００１２】
請求項２の発明の電話機アダプタによれば、制御手段が固定電話機のオフフック時に制御を行うようにすると共に、固定電話回線と固定電話機に対して直列となる経路に電圧変換手段、選択信号検知手段、信号出力手段をそれぞれ配設して、固定電話機のオフフックにより固定電話回線を介して供給される電源を電圧変換手段、選択信号検知手段、信号出力手段の作動用電源としたことにより、従来必要とされたＡＣ電源や乾電池、充電池、コンデンサ等からなる電話機アダプタ専用の電源を無くすこと、いわゆる電池レスを実現できたのである。それにより、電話機アダプタの設置場所がＡＣ電源コンセントの位置に影響を受けなくなり、また電話機アダプタ用の乾電池や充電池の交換時における煩わしい作業が不要になると共に乾電池や充電地交換に伴う費用を削減でき、また蓄電用に大容量のコンデンサが不要なため電話機アダプタをコンパクトにすることができたのである。
【００１３】
請求項３の発明によれば、固定電話機から携帯電話機の呼び出しの場合、固定電話機から発信されるダイアル信号に、予め制御手段に記憶されているキャリア（電話会社）識別情報を付加して固定電話回線に出力するため、付加するキャリア識別情報によって受けられるサービス、例えば固定電話機から携帯電話機への通話に対する通話料割引サービスを、通話者は何ら特別の作業を行うことなく受けられるようにする電話機アダプタについても、電池レスを実現することができ、前記請求項２の発明に対して記載した効果が得られる。
【発明を実施するための最良の形態】
【００１４】
以下この発明の実施形態を説明する。図１は本発明の一実施形態に係る電話機アダプタのブロック図、図２は逆極性で固定電話回線に接続した場合の電話機アダプタのブロック図である。
【００１５】
図１及び図２に示す電話機アダプタ１０は、二線式の固定電話機と固定電話回線間に設けられるものである。電話機アダプタ１０は、固定電話機と電話線で接続され、また、電話局とは加入している固定電話回線を介して接続される。
【００１６】
電話機アダプタ１０は、極性レス回路１１、レギュレータ１３、選択信号検知回路１５、制御部１７、選択信号出力回路１９及び本実施例ではさらに通話回路２１を備え、電話機アダプタの電源用として内部にＡＣ電源の電圧変換手段や乾電池、充電地を備えないものである。
【００１７】
極性レス回路１１は、固定電話回線と電話機アダプタ１０の接続に際して、固定電話回線の極性を逆にしても接続できるようにするためのもので、ダイオードのブリッジ回路で構成されている。
【００１８】
レギュレータ１３は、本発明の電圧変換手段に相当し、固定電話回線と固定電話機に対して直列となる経路に設けられ、固定電話機がオフフックされることによって電話局と電話機アダプタ１０及び固定電話機が閉ループを構成することにより固定電話回線を介して電話局から供給される電源（局給電電流）を作動電源としている。本実施例では、レギュレータ１３は、前記極性レス回路１１に接続されている。前記レギュレータ１３は定電圧回路で構成され、固定電話機がオフフックされることによって作動を開始し、固定電話回線を介して供給される電源（局給電電流）をアダプタ用電圧としての電源電圧（本実施例では＋３Ｖ）に変換して制御部１７へ出力する。
【００１９】
選択信号検知回路１５は、本発明の選択信号検知出手段に相当し、固定電話回線と固定電話機に対して直列となる経路に設けられ、前記のように固定電話機がオフフックされることにより固定電話回線を介して供給される電源（局給電電流）を作動電源としている。本実施例では、前記選択信号検知回路１５は、前記極性レス回路１１と制御部１７に接続されている。前記選択信号検知回路１５は、固定電話機がオフフックされることにより作動を開始し、固定電話機からの発信か否か、すなわち固定電話機からダイアル信号が発信されて選択信号検知回路１５で受信したか否かを判断し、固定電話機からの発信であると判断すると、固定電話機からのダイアル信号を制御部１７へ出力する。前記ダイアル信号は、相手先固定電話機の電話番号あるいは相手先携帯電話機の電話番号で構成される。
【００２０】
制御部１７は、本発明の制御手段に相当し、前記レギュレータ１３でアダプタ用電圧に変換された電源を作動電源とし、固定電話機のオフフック時に作動する。前記制御部１７は、ＣＰＵを備え、予めキャリア識別情報が読み出し可能に記憶され、また設定されているプログラムにしたがって制御を行う。前記制御１７に予め記憶されているキャリア識別情報は、固定電話機から携帯電話機へ電話をかける際に、電話番号の始めに付加することによって、前記キャリア（電話会社）が定めるサービス（本実施例では通話料割引サービス）を受けられるようにするためのものであり、サービスを受けるキャリア（電話会社）に対して定められている数字、例えば「００３９」や「００３６」、あるいは「００３３」等からなる。
【００２１】
前記制御部１７における制御は、まず、前記選択信号検知回路１５から出力されて受信したダイアル信号が携帯電話機の呼び出しか否かを判断する。携帯電話機の呼び出しか否かの判断は、ダイアル信号（電話番号）に携帯電話機の電話番号を示す「０９０」あるいは「０８０」が含まれている場合には携帯電話機の呼び出しと判断し、一方「０９０」あるいは「０８０」が含まれていない場合には携帯電話機の呼び出しではないと判断する。前記ダイアル信号が携帯電話機の呼び出しであると判断すると、前記キャリア識別情報を読み出して、前記ダイアル信号に付加し、該付加ダイアル信号を選択信号出力回路１９に出力する。それに対して携帯電話機の呼び出しではないと判断すると、前記選択信号検知回路１５から受信したダイアル信号に前記キャリア識別情報を付加することなく、そのままの無付加ダイアル信号を選択信号出力回路１９へ出力する。
【００２２】
選択信号出力回路１９は、本発明の信号出力手段に相当し、固定電話回線と固定電話機に対して直列となる経路に設けられ、前記のように固定電話機がオフフックされることによって固定電話回線を介して電話局から供給される電源（局給電電流）を作動電源としている。前記選択信号出力回路１９は、本実施例では前記極性レス回路１１と制御部１７に接続され、前記制御部１７から送信された付加ダイアル信号または無付加ダイアイル信号を固定電話回線へ出力する。
【００２３】
通話回路２１は、前記制御部１７によって制御され、通話に必要な動作、すなわち発信、着信、通話状態の維持を行う。前記通話回路２１は、前記のように固定電話回線と固定電話機に対して直列となる経路に設けられ、固定電話機のオフフックにより固定電話回線を介して供給される電源（局給電電流）を作動電源とし、前記オフフックによって作動を開始する。
【００２４】
前記構成からなる電話機アダプタ１０においては、固定電話機のオンフック時には固定電話機及び固定電話回線の状態を監視しない停止状態（非作動状態）となるため電源が不要であり、一方、固定電話機のオフフック時には、電話局と電話機アダプタ１０及び固定電話機が閉ループを形成し、それにより固定電話回線を介して電話局の電源（局給電電流）が電話機アダプタに供給されて電話機アダプタ１０が作動を開始し、固定電話機及び固定電話回線の状態を監視するため、電話機アダプタ１０用にＡＣ電源や乾電池、充電地あるいは蓄電用コンデンサを設ける必要がない。
【００２５】
なお、本発明は、前記の実施形態、すなわち固定電話機から携帯電話機に電話をかける際に予め設定されているキャリア（電話会社）識別情報を付加する電話機アダプタに限定されず、他の用途に用いられる電話機アダプタであってもよく、用途に応じて構成が変更される。
【図面の簡単な説明】
【００２６】
【図１】本発明の一実施形態に係る電話機アダプタのブロック図である。
【図２】逆極性で固定電話回線に接続した場合の電話機アダプタのブロック図である。
【符号の説明】
【００２７】
１０  電話機アダプタ
１１  極性レス回路
１３  レギュレータ
１５  選択信号検知回路
１７  制御部
１９  選択信号出力回路
２１  通話回路
【図１】
2006148652.tif 000003
【図２】
2006148652.tif 000004